(57)【要約】  印刷装置１は、互いに実質的に平行で且つ対面するように設けられる、第１ローラ２と第２ローラ３とを具備する。第１ローラ２は、第１ローラ２の一つの端部１０のみにおいて回転するように搭載されており、一つの端部１０は、偏向機９に搭載されている。偏向機９は、接続部１１を曲げることにより、第２ローラ３に対する第１ローラ２の相対的な角度を弾性的に変化させるために、支持体１２に対する接続部１１を具備している。【選択図】図１ａ
2015515401.tif 000002
【特許請求の範囲】
【請求項１】
第１ローラ（２）と第２ローラ（３）とを具備する、印刷装置（１）であって、
いずれかの側から印刷用紙に当接することにより前記第１ローラ（２）と前記第２ローラ（３）との間における印刷用紙の搬送のために、あるいは前記第１ローラ（２）を前記第２ローラ（３）に当接させることにより前記第１ローラ（２）と前記第２ローラ（３）の中の一方から他方へ液体を転移するために、前記第１ローラ（２）と前記第２ローラ（３）が、互いに実質的に平行で且つ対面するように設けられる、印刷装置において、
前記第１ローラ（２）は、第１回転軸線（６）を有しており、前記第２ローラ（３）は、第２回転軸線（７）を有しており、
前記第１ローラ（２）は、前記第１ローラ（２）の一つの端部（１０）のみにおいて回転するように搭載されており、
前記一つの端部（１０）は、偏向機（９）に搭載されており、
前記偏向機（９）は、支持体（１２）に対する接続部（１１）を具備しており、前記接続部（１１）は、前記接続部（１１）を曲げることにより、前記第２ローラ（３）に対する前記第１ローラ（２）の相対的な角度を弾性的に変化させるために弾性を有する、ことを特徴とする印刷装置。
【請求項２】
前記第１回転軸線（６）と前記第２回転軸線（７）は、平面（８）を概ね画定しており、
前記接続部（１１）は、前記平面（８）に対して垂直な曲げ軸（１３）の周りで、前記接続部（１１）を曲げることにより、前記第２ローラ（３）に対する前記第１ローラ（２）の相対的な前記角度を弾性的に変化させるために、前記曲げ軸（１３）の周りで弾性を有する、ことを特徴とする請求項１に記載の印刷装置。
【請求項３】
前記接続部（１１）は、前記曲げ軸（１３）に対して垂直な方向における曲げに対して剛性であり、
前記曲げ軸（１３）に対して垂直な方向における前記接続部（１１）の剛性は、前記曲げ軸（１３）の周りの曲げに関する前記接続部の剛性に比べて、１００倍より大きいことを特徴とする請求項２に記載の印刷装置。
【請求項４】
前記偏向機（９）は、偏向面を有しており、
前記印刷装置は、前記偏向面に対面する基部面を有する、基部（１４）を、前記偏向面と前記基部面との間に隙間（１５）を設けるような距離で更に具備しており、
前記距離を変化させてそれにより前記接続部（１１）を曲げるための手段が設けられる、ことを特徴とする請求項１〜３のいずれか一項に記載の印刷装置。
【請求項５】
前記偏向機（９）は、前記基部面に対して相対的に、弾性的に付勢されており、
前記距離を変化させてそれにより前記接続部（１１）を曲げるための手段は、付勢された条件下で距離を変化させるように形成される、ことを特徴とする請求項３に記載の印刷装置。
【請求項６】
前記距離を変化させてそれにより前記接続部（１１）を曲げるための手段は、前記隙間（１５）内に少なくとも１つの滑動可能な楔（１６）を有する、楔装置（１６、１６ａ、１６ｂ）を具備しており、
前記楔装置（１６、１６ａ、１６ｂ）は、２つの対向する側部を有しており、
前記２つの側部の内の１つは、前記偏向面に当接しており、
もう一方の前記側部は、前記隙間（１５）内の前記少なくとも１つの楔（１６、１６ａ、１６ｂ）を移動することにより、距離を変化させるために、前記基部面に当接する、ことを特徴とする請求項４又は５に記載の印刷装置。
【請求項７】
前記偏向機（９）は、板長さと板幅とを有する、板を具備しており、前記板は、第１面の表面と、第２面の表面と、前記２つの面の表面間の厚さと、を有しており、
前記板の前記厚さは、前記面の表面に平行な軸の周りの曲げを促進するために、その長さ又は幅又は両者に比べて少なくとも５倍でより小さい、ことを特徴とする請求項１〜６のいずれか一項に記載の印刷装置。
【請求項８】
前記偏向機（９）は、前記第１ローラ（２）に取り付けられた、第１部分（２７）と前記支持体（１２）に搭載された、第２部分（２３）とを有する、板を具備しており、
前記接続部（２５）は、前記第１部分（２７）を前記第２部分（２３）に接続していて更に前記第２部分（２３）に近接する、薄くされた部分（２６）を具備しており、
前記接続部（２５）の曲げのための前記薄くされた部分の近くに曲げ軸（１３）を画定することを、前記薄くされた部分（２６）が補助するために、前記薄くされた部分（２６）は、前記板の前記第１部分（２７）の材料厚さより薄い、材料厚さを有することを特徴とする請求項１〜７のいずれか一項に記載の印刷装置。
【請求項９】
印刷装置において２つのローラ間の角度を調整する方法であって、
前記印刷装置（１）は、第１ローラ（２）と第２ローラ（３）とを具備しており、
いずれかの側から印刷用紙に当接することにより前記第１ローラ（２）と前記第２ローラ（３）との間における印刷用紙の搬送のために、あるいは前記第１ローラ（２）を前記第２ローラ（３）に当接させることにより前記第１ローラ（２）と前記第２ローラ（３）の内の一方から他方へ液体を転移するために、前記第１ローラ（２）と前記第２ローラ（３）が、互いに実質的に平行で且つ対面するように配置される、方法において、
前記第１ローラ（２）は、第１回転軸線（６）を有しており、前記第２ローラ（３）は、第２回転軸線（７）を有しており、
前記第１ローラ（２）は、前記第１ローラ（２）の一つの端部（１０）のみにおいて、偏向機（９）に対して回転するように搭載されており、
前記偏向機（９）は、支持体（１２）に対する接続部（１１）を具備しており、
前記接続部（１１）は、前記接続部（１１）を曲げることにより、前記第２ローラ（３）に対する前記第１ローラ（２）の相対的な角度を弾性的に変化させるために、平面（８）に対して垂直な曲げ軸（１３）の周りで弾性を有しており、
該方法は、前記接続部を弾性的に曲げて、それにより、前記第２ローラ（３）に対する前記第１ローラ（２）の相対的な角度を変化させる手順を具備する、ことを特徴とする方法。
【請求項１０】
前記偏向機（９）は、偏向面を有しており、
前記印刷装置（１）は、前記偏向面に対面する基部面を有する、基部（１４）を、所定の距離で更に具備して、それにより、前記偏向面と前記基部面との間に隙間（１５）を設けており、
該方法は、前記偏向面と前記基部面との間の距離を変化させる手順であって、それにより前記接続部（１１）を曲げる、距離を変化させる手順を具備する、ことを特徴とする請求項９に記載の方法。
【請求項１１】
該方法は、前記偏向機を前記基部面に対して相対的に、弾性的に付勢する手順を具備しており、
前記距離を変化させる手順は、弾性的に付勢された条件下で前記距離を変化させるように形成される、ことを特徴とする請求項１０に記載の方法。
【発明の詳細な説明】
【技術分野】
【０００１】
本発明は、第１ローラと第２ローラの間の印刷用紙の搬送のために、互いに実質的に平行で且つ対面するように設けられた、第１ローラと第２ローラとを具備する、印刷装置に関する。いずれかの側から印刷用紙に当接することによる、第１ローラと第２ローラとの間における印刷用紙の搬送のために、あるいは第１ローラを第２ローラに当接させることにより第１ローラと第２ローラの内の一方から他方へ液体を転移するために、ローラは、実質的に平行な回転軸線を有する。第１ローラは、第１ローラの一端のみにおいて偏向機に回転可能に取り付けられる。偏向機は、ローラ間の接触圧力と同様に平行配向を調整することが可能である、支持体への接続部を具備する。本発明はまた、印刷装置の２つのローラの間の角度を調整するための方法を具備する。
【背景技術】
【０００２】
フレキソ印刷機において、一端のみに印刷ローラを搭載することは、スリーブと共に使用した場合に、その様なスリーブの交換は、ローラが両端に搭載される、プレスに比べてより容易であるため、魅力的である。しかし、一端のみでのローラの搭載は、適切な調整機構に対する挑戦を意味しており、それにより、ローラ間の平行な接触及び均等化された圧力がローラの間のインクの均一な転移を提供するために確保される。
【０００３】
ある特許文献では、片持ち式インクローラと版胴とを有する、インク装置が開示されている（例えば、特許文献１参照。）。インクローラと版胴が１つの端部にのみ搭載される。インクローラと版胴との間の平行調整を達成するために、及びローラ間における均一な接触圧力を達成するために、インク装置は、版胴の片持ち式の架台を有する。この架台は、ネジがレバーの一方の側を押して、その回転が溝内においてピンを移動させる、装置を具備する。溝は、一次元においては可能であるが、しかし横方向においては可能ではない、ピンの自由な動きを可能にしており、代わりに、ピンの横方向は、ピンにより版胴ブロックを押して、版胴ブロックを別の回転ピンの周りで回転させる。版胴ブロックの回転は、版胴軸線の回転を引き起こし、それにより、版胴とインクローラとの間の角度を調整する。
【０００４】
このシステムは、その多くの回転部分により、かなり複雑である。例えば、ネジは、レバー上の軸受において係合し、軸受は、第１回転軸線の周りでレバーにおいて回転しており、レバーは、第２回転軸線の周りで回転しており、版胴ブロックは、第３回転軸線の周りで回転している。同様に、３つの回転軸線は、インクローラブロックが圧胴に対して版胴と共に調整されなければならない時に、インクローラブロックのために使用される。多くの回転部品及び回転部品とピンと溝との間の比較的複雑な相互作用は、システムを、製造において困難で重く且つ高価にする。
【０００５】
また、ある特許文献には、一つの端部のみに搭載される、印刷ローラを調整するための別のシステムが開示されている（例えば、特許文献２及び３参照。）。また、ある特許文献には、調整可能であるローラを有する、オフセット印刷機が開示されている（例えば、特許文献４参照。）。また、ある特許文献には、印刷装置を搭載するための弾性要素が開示されている（例えば、特許文献５参照。）。
【先行技術文献】
【特許文献】
【０００６】
【特許文献１】米国特許第５３８５０９３号明細書
【特許文献２】米国特許第６１０９１８０号明細書
【特許文献３】米国特許第５４７１９２９号明細書
【特許文献４】英国特許第２１４２５７７号明細書
【特許文献５】欧州特許第０９４２１９２号明細書
【発明の概要】
【発明が解決しようとする課題】
【０００７】
従って、本発明の目的は、当該技術分野における改善を提供することである。特には、印刷装置において一つの端部のみに搭載される、ローラの角度調整のための単純化されたシステムを提供することが、本発明の目的である。この目的は、以下に記載の印刷装置により達成される。
【課題を解決するための手段】
【０００８】
従って、本発明の目的は、当該技術分野における改善を提供することである。特には、印刷装置において一つの端部のみに搭載される、ローラの角度調整のための単純化されたシステムを提供することが、本発明の目的である。この目的は、以下に記載の印刷装置により達成される。
【０００９】
第１ローラは、第１回転軸線を有しており、第２ローラは、第２回転軸線を有しており、第１ローラと第２ローラは、平行に又は実質的に平行に整列されており、第１ローラと第２ローラのために、本発明は、従来技術の欠点を克服する、調整手段を提供することを目的とする。
【００１０】
第１ローラは、第１ローラの一つの端部のみにおいて回転するように搭載されており、この一つの端部は、偏向機に搭載される。偏向機は、支持体に対する接続部を具備しており、接続部は、接続部を少し曲げることにより、第２ローラに対する第１ローラの相対的な角度を弾性的に変化させるために弾性を有する。従って、偏向機の接続部はその後、弾性的に曲げることが出来、それは、第２ローラに対する第１ローラの相対的な角度を変化させており、それにより、ローラ間の接触圧力と同様に、平行配向が調整可能である。
【００１１】
本発明によるシステムは、低価格で製造可能である、簡単で軽量な技術的解決案である。
【００１２】
第１回転軸線と第２回転軸線は、平面を概ね画定しており、ここで、用語「概ね」が使用されるのは、第１ローラと第２ローラとの間の正確な平行度からの偏差が、３度未満、又は２度未満及び一般的には１度未満ですらあるからである。偏差は、本明細書に記載されるような調整手段により減少可能である。第１ローラ及び第２ローラが、第１ローラと第２ローラの間において印刷用紙を搬送するために使用される場合に、平面は、第１ローラと第２ローラの間の紙の搬送方向に対して垂直として定義されてもよい。
【００１３】
例えば、接続部は、接続部を曲げ軸の周りで曲げることにより第２ローラに対する第１ローラの相対的な角度を弾性的に変化させるために、その様な前記平面に対して垂直な曲げ軸の周りで弾性を有する。一般的に、その様な曲げ軸が存在しており、例えばパラボラ（放物線）等の、非円形経路に沿う曲げは可能であるが、近似的にはしかし、小さな角度により、曲げは、概ね円形であり、対応する曲げ軸を暗示する。
【００１４】
偏向機が様々な方向において制御できない状態で曲げられることを防止するために、接続部は、曲げ軸に対して垂直な方向において剛性であることが有利である。言い換えれば、接続部は、回転軸線の周りの方向における曲げに関して剛性であるが、他方で、例えば、上記で定義された平面に垂直な曲げ軸の周り等の、回転軸線に垂直な軸の周りの曲げは、調整のために使用される。
【００１５】
例えば、第１回転軸線の周りの曲げに関する、接続部の剛性及び全体的な偏向機の剛性、又は平面に対して垂直な上記で定義された、曲げ軸に対して垂直な方向の周りの曲げに関する接続部の剛性は、上記で定義された平面に垂直な曲げ軸の周りの曲げに関する接続部の剛性に比べて、１００倍又は１０００倍でより大きい。
【００１６】
例えば、偏向機は、第１ローラに取り付けられた、第１部分と支持体に搭載された、第２部分とを有する、板を具備する。その様な板は、板長さと板幅とを有してもよく、更に、前記板は、第１面の表面と、第２面の表面と、前記２つの面の表面間の厚さと、を有してもよい。もし板の厚さが、その長さ又は幅に比べて、例えば、少なくとも５倍又は少なくとも１０倍で、かなりより小さい場合に、単に、面の表面に平行な軸の周りで曲がる傾向がある。
【００１７】
幾つかの実施の形態において、印刷装置は、偏向面と基部面との間に隙間を提供するために、所定の距離で偏向機の表面に対面する、基部面を有する基部を更に具備する。偏向面と基部面の間の距離を変化させることにより、接続部は、曲げられて、それはまた、第１ローラの角度方向も調整する。
【００１８】
選択可能に、偏向機は、基部面に対して相対的に、弾性的に付勢されており、距離を変化させる手段は、付勢された条件下で距離を変化させるように形成される。
【００１９】
距離は、様々な方法で変化させることができる。例えば、ネジは、偏向機を弾性的に偏向させるために使用可能である。実施の形態において、ネジは、基部内の内ネジと係合する、外ネジを有する。ネジを回すと、ネジは、基部を介して長手方向に移動し、その端部は、偏向面に当接し、基部から離れるように偏向機を押圧するように使用可能である。ネジが反対方向に回される場合に、偏向機への張力は、再び解放され、偏向機は、ネジにより強制されない位置に戻るように動かされる。柔軟な張力の下で偏向機にネジを当接する状態で保持することにより、ネジの調整は、基部から離れるように及びそれに向かわせるように偏向機を動かしており、それは、第２ローラに対して相対的に第１ローラを調整するための便利な方法である。
【００２０】
これとは別に、偏向機は、例えば、単一楔又は二重楔等の、少なくとも１つの楔を有する、楔装置により動かされる。楔装置は、２つの対向する側部を有しており、前記２つの側部の中の１つは、偏向面に当接しており、もう一方の側部は、隙間内の少なくとも１つの楔を移動することにより距離を変化させるために、基部面に当接する。簡単な実施の形態において、単一の滑動可能な楔は、少なくとも部分的に隙間内に設けられており、楔は、互いに向かって先細りする２つの側部を有しており、２つの側部は、それぞれ、基部面と偏向面に当接する。隙間内に楔を駆動することにより、偏向機と基部との間の距離は、増大するが、他方で、楔が隙間から引き出された場合には、それは減少する。移動のために、隙間内への方向及び隙間から外の方向に楔を移動させる手段が設けられており、それにより、偏向面と基部面との間の距離を調整する。これとは別に、楔装置は、互いに対面するそれらの先細り面を有する、２つの楔を具備しており、楔の内の一方の対向面は、偏向面に当接し、第２の楔の対向面は、基部面に当接する。この場合において、距離は、互いに対して相対的に２つの楔を滑動させることにより、変化する。基部面と偏向面にそれぞれ当接する、２つの外面は、平行であるので、その様な楔装置は、単一の楔を挿入する場合に比べて、隙間において、より円滑に作動する。
【００２１】
別の実施の形態において、偏向機は、第１ローラに取り付けられる、第１部分と支持体に搭載される、第２部分とを有する、板を具備しており、接続部は、第１部分を第２部分に接続する。選択可能に、接続部は、第２部分に近接する、薄くされた部分を有しており、その場合は、薄くされた部分は、板の第１部分の材料厚さより薄い、材料厚さを有する。薄くされた部分が、接続部の曲げのために薄くされた部分の近くに曲げ軸を画定することを補助するように、接続部は、薄くされた部分において主に曲げられる傾向にある。
【００２２】
装置は、印刷装置と呼ばれるが、ローラから印刷部への液体の転移は、必ずしもインクである必要はなく、それは同様に、その転移がやはり印刷装置を使用する方法である、透明のラッカー（合成塗料）であってもよい。例えば、印刷された用紙は、オフセット印刷により、又は印刷装置の上流のデジタル印刷により提供されてもよい。レーザー印刷及びインクジェット印刷等を含む、デジタル印刷は、少ない数だけの紙が印刷される場合に、又は多数が印刷されるが、わずかに変化する印刷物である場合に、魅力的である。印刷用紙はその後、第１ローラ及び第２ローラを有する、印刷装置に搬送される。ローラの間を通過する時に、第１ローラは、印刷用紙の上に、別のインク又は単に透明ラッカーを転移してもよい。ラッカーは、ドクターブレードチャンバーから収集され、その後印刷用紙に転移される、特定の層において、第１ローラに適用されてもよい。印刷装置がデジタルプリンタと連携して使用される場合において、ローラは一般的に、比較的小さく、例えば、４０〜８０センチメートル等の、１メートル未満の長さを例えば有する。
【００２３】
第１ローラ及び第２ローラとは別に、印刷装置は、別のローラを具備してもよい。また、第２ローラもまた、第１ローラについて上述したようなシステムと同様の角度調整システムを有してもよいことが、指摘されるべきである。
【００２４】
本発明について、図面を参照して、より詳細に説明する。
【図面の簡単な説明】
【００２５】
【図１ａ】印刷ユニットの略図である。
【図１ｂ】印刷ユニットの略図である。
【図２ａ】偏向機の図面である。
【図２ｂ】偏向機の図面である。
【図３】代替の偏向機機構を有する、印刷装置の略図である。
【発明を実施するための形態】
【００２６】
図１ａは、本発明の基本原理を示す。印刷装置１は、第１ローラ２と第２ローラ３とを具備しており、第１ローラ２及び第２ローラ３は、ローラ２と３との間の接触領域４を介する印刷用紙の搬送のために接触領域４に沿って互いに実質的に平行に接触する。しかし、接触領域４は一般的には、第１ローラ２と第２ローラ３との間における接触を暗示するかもしれないが、接触領域４は、代替的に、印刷用紙が比較的厚くて、隙間５が必要とされる場合に、ローラ２と３との間の小さな隙間５を暗示してもよいので、これは、本発明にとって重要ではない。しかし、このような印刷は、隙間５を介して転動する場合に、両ローラ２と３に接触する可能性がある。
【００２７】
第１ローラ２は、第１回転軸線６を有しており、第２ローラ３は、第２回転軸線７を有しており、第１回転軸線６と第２回転軸線７は、ローラ２と３の間において用紙の搬送方向に垂直な平面８を概ね画定する。第１ローラ２は、第１ローラ２の１つの端部１０のみにおいて、回転するように搭載される。第１ローラ２は、偏向機９に搭載されており、偏向機９は、支持体１２への接続部１１を具備する。接続部１１は、平面８に垂直である、曲げ軸１３の周りで弾性的であり、従って、曲げ軸はまた、図面の平面に対して垂直である。
【００２８】
基部１４は、偏向機９の偏向面に対面する、基部面を備えており、基部面と偏向面の間に、隙間１５が設けられる。楔１６は、隙間１５の内外方向に移動可能であり、それにより、隙間の幅は、変化し、そのことは、二つ矢印１７で示されるように、垂直な方向において、偏向機の偏向を結果的に生じる。この偏向は、曲げ軸１３の周りにおいて偏向機の回転を引き起こす。結果として、第２ローラ３に対する第１ローラ２の相対的な角度は、変化させられる。角度調整は最小であるので、偏向は、二つ矢印１８に従って、第１ローラ２の支持されない端部の移動により概ね表示可能である。この偏向により、第１ローラ２と第２ローラ３との間の接触圧力は、一方のローラから他方のローラへの液体の適正な転移のために、均一になるように調整可能であるか、又は、これとは別に、第１ローラ２と第２ローラ３との間の距離は、隙間５を介する用紙の適正な搬送を確保するために、ローラの長さに沿って均一であるように調整可能である。
【００２９】
楔１６の移動は、例えば、配置されたネジ１９又は作動機等の、種々の手段により達成可能である。楔１６を使用することは、簡単な手段による非常に正確な調整を意味する。楔１６は、楔１６の比較的大きな直線運動が第１ローラ２の小さな角度変化のために必要であるように、非常に小さな傾きで形状形成可能である。
【００３０】
調整はまた、隙間内の様々な場所において、種々の楔を使用することにより達成できることが、良好な秩序のために言及されるべきである。様々な楔を使用することにより、図示された曲げ軸の周りだけではない、曲げを、二次元の曲げを達成するために、実施することができる。
【００３１】
図１ｂは、図１ａの楔の代替案として、楔の構成を示す。２つの楔１６ａ、１６ｂは、互いに対面する、それらの先細り面を有する。この場合において、距離は、２つの楔１６ａ、１６ｂを互いに対して相対的に摺動させることにより変化させる。その様な楔装置は、単一の楔を挿入することに比べて、隙間においてより滑らかに機能する。
【００３２】
図２ａは、偏向機の一例を示す。偏向機９は、取付孔２１を有する、第１部分２７を備える、板のような形を有しており、第１ローラ２の端部１０は、取付孔２１に適合し、ネジ穴２２を介して伸長する、ネジ（図示せず）により固定される。偏向機９の一端は、偏向機９を支持体１２に搭載するための取付孔２４を備える、厚みのある端部分である、第２部分２３を具備する。取付穴２１と厚みのある端部分２３との間において、薄くされた部分２６を有する、接続部２５が設けられて、薄くされた部分の近くにあって且つ比較的良好に画定された、曲げ軸の周りで制御された曲げを提供する。接続部２５の薄くされた部分２６は、図２により明確に示される。
【００３３】
偏向機板及び、偏向機と基部との間の隙間に楔を移動させるための機構は、その中で楔が移動する、溝を有する。作動機は、溝に沿って楔を移動させるために、楔の一方の端部に設置可能である。より深く、楔１６が、基部１４と偏向機９との間の隙間１５内に押圧されると、より大きく、偏向機９は、基部１４から離れる方向に押圧される。偏向機９の偏向は、第２ローラ３に向かって又はそれから離れる方向に、第１ローラ２を結果的に曲げ／傾斜させる。
【００３４】
前述のように、楔は、ネジ装置、又は制御された方法で隙間１５における距離を変化させるのに適する、別の装置により置換可能である。
【００３５】
図３は、ネジ２７が偏向機９を曲げるか又は偏向させるための楔に対する代替案として使用される、代替構成を示す。ネジ２７は、基部１４の内ネジ２８と係合する、外ネジを有する。ネジ２７が、偏向機９に取り付けられた状態において、回されると、それは、図１の楔構成と同様に、接続部１１の曲げを引き起こすことにより、偏向機９を移動させる。
【図１ａ】
2015515401.tif 000003
【図１ｂ】
2015515401.tif 000004
【図２ａ】
2015515401.tif 000005
【図２ｂ】
2015515401.tif 000006
【図３】
2015515401.tif 000007
【国際調査報告】
2015515401.tif 000008
2015515401.tif 000009